(57)【特許請求の範囲】
【請求項１】
基部材の一端側と本体部材の一端側とが互いに当接し、前記基部材の一端側の表面に沿った方向に前記本体部材が回転するＬＥＤ電球であって、
前記基部材は、ＬＥＤ電球用取付部に取り付け可能な口金部と、前記基部材の一端側の表面に対して略平行な面に複数の凹凸が同一円周上に形成された嵌合部とを備え、
前記本体部材は、光を照射する発光部と、前記嵌合部の凹部に嵌合する回転固定部と、前記回転固定部と前記嵌合部とが嵌合する固定位置又は前記回転固定部が前記嵌合部から離間する離間位置に前記回転固定部を位置決めする操作部と、を備える、
ＬＥＤ電球。
【請求項２】
前記本体部材は、前記嵌合部の凹部と係合する１又は２以上の突起部を有する、
請求項１に記載のＬＥＤ電球。
【請求項３】
前記本体部材は、前記嵌合部に対向する位置に収納穴を有し、
前記回転固定部は、前記収納穴の壁面に沿って移動することで、前記固定位置又は前記離間位置に位置決めされる、
請求項１又は２に記載のＬＥＤ電球。
【請求項４】
請求項１〜３のいずれか１項に記載のＬＥＤ電球であって、
前記回転固定部を前記嵌合部の方向に付勢する付勢部と、
を備えた、
ＬＥＤ電球。
【請求項５】
前記回転固定部は、前記付勢部で前記嵌合部の方向に付勢されることにより固定位置に固定され、前記操作部で前記嵌合部の方向とは逆方向に押圧されることにより離間位置に位置決めされる、
請求項４に記載のＬＥＤ電球。
【請求項６】
前記本体部材は、前記操作部が通過可能な通過孔を有し、
前記操作部は、少なくとも一部が前記通過孔を通過する棒状部材である、
請求項１〜５のいずれか１項に記載のＬＥＤ電球。
【請求項７】
請求項１〜６のいずれか１項に記載のＬＥＤ電球であって、
前記基部材に供給された電力を前記本体部材に供給する電力供給手段と、
を備え、
前記基部材の一端側及び前記本体部材の一端側には、前記基部材の回転軸を含む位置に前記電力供給手段が通過可能な連通孔を有する、
ＬＥＤ電球。
【請求項８】
前記本体部材は、前記基部材が回転するに伴って、同一方向から見た際の外観が少なくとも二以上の形態に見える拡散部を有する、
請求項１〜７のいずれか１項に記載のＬＥＤ電球。
【発明の詳細な説明】
【技術分野】
【０００１】
本発明は、ＬＥＤ電球に関する。
【背景技術】
【０００２】
従来、天井面に埋め込まれて使用される照明器具が知られている。例えば、特許文献１には、蛍光ランプを支持するホルダと、ホルダを収容するドーム状のカバーと、カバーの円筒状部に係止された口金と、を備え、カバーの内面側とホルダの外面側とが同一円周上に連続または断続して形成した凹凸部により係合されているとともに、円周方向へ所定以上の回転トルクが加わることにより、カバーとホルダとが相反する方向に所定角度回動する電球蛍光灯ランプ装置が記載されている。この電球蛍光灯ランプ装置によれば、所定以上の回転トルクがカバーに加えられると、カバーとホルダとが相反する方向に回動し、取り付け時に蛍光ランプやホルダに過度の力が加えられ、破損することを防いでいる。
【先行技術文献】
【特許文献】
【０００３】
【特許文献１】特開２００５−１９３０７号公報
【発明の概要】
【発明が解決しようとする課題】
【０００４】
ところで、様々な種類のＬＥＤ電球が照明器具として用いられるようになり、ＬＥＤ電球のデザインにより、視認する方向によって発光部から照射される光が異なって見えるＬＥＤ電球が広く用いられている。このようなＬＥＤ電球を用いる場合には、発光部を所望の方向に位置決めすることが強く求められているが、特許文献１に記載の照明器具は、回転トルクによる破損を防止するという目的であるため、一方向にのみしか回転することができず、また、回転することはできても、固定することができないという課題がある。
【０００５】
本発明は、このような課題に鑑みなされたものであり、ＬＥＤ電球が取り付けられた後に、発光部を所望の方向に固定することができるＬＥＤ電球を提供することを主目的とする。
【課題を解決するための手段】
【０００６】
本発明は、上述の主目的を達成するために以下の手段を採った。
【０００７】
本発明のＬＥＤ電球は、
基部材の一端側と本体部材の一端側とが互いに当接し、前記基部材の一端側の表面に沿った方向に前記本体部材が回転するＬＥＤ電球であって、
前記基部材は、ＬＥＤ電球用取付部に取り付け可能な口金部と、前記基部材の一端側の表面に対して略平行な面に複数の凹凸が同一円周上に形成された嵌合部とを備え、
前記本体部材は、光を照射する発光部と、前記嵌合部の凹部に嵌合する回転固定部と、前記回転固定部と前記嵌合部とが嵌合する固定位置又は前記回転固定部が前記嵌合部から離間する離間位置に前記回転固定部を位置決めする操作部と、
を備えたものである。
【０００８】
このＬＥＤ電球では、操作部によって回転固定部が嵌合部から離間した離間位置に位置決めされると、本体部材が基部材の一端側の表面に沿った方向に回転可能な状態となり、操作部によって回転固定部と嵌合部とが嵌合した固定位置に位置決めされると、本体部材が基部材に固定される。こうすることにより、基部材がＬＥＤ電球用取付部に固定された状態で本体部材を回転することができるため、本体部材に備えられた発光部の向きを所望の方向に回転し、固定することができる。
【０００９】
本発明のＬＥＤ電球において、前記本体部材は、前記嵌合部の凹部と係合する１又は２以上の突起部を有していてもよい。こうすることにより、本体部材に設けられた突起部が回転する際に、嵌合部の凹部と係合することができるため、突起部が嵌合部の凹部毎に係合し、本体部材の回転角度を凹部の間隔毎に位置決めすることができる。言い換えると、本体部材が所望の距離以上に回転する可能性を未然に低減し、突起部が無い場合と比較して、より容易に本体部材に備えられた発光部を所望の方向に回転し、固定することができる。
【００１０】
本発明のＬＥＤ電球において、前記本体部材は、前記嵌合部に対向する位置に収納穴を有し、前記回転固定部は、前記収納穴の壁面に沿って移動することで、前記固定位置又は前記離間位置に位置決めされるものであってもよい。このとき、収納穴は嵌合部に対向する位置に備えられているため、収納穴の壁面は常に嵌合部と略垂直な方向になる。このため、収納穴の壁面に沿って移動する回転固定部材も常に嵌合部と垂直な方向に移動することになるため、回転固定部材を常に嵌合部と略垂直な角度に保つことができ、嵌合部と回転固定部材とが容易に嵌合することができる。
【００１１】
本発明のＬＥＤ電球は、前記回転固定部を前記嵌合部の方向に付勢する付勢部と、を備えていても良い。こうすれば、回転固定部が嵌合部の方向に付勢されるため、操作部を操作していない際には、回転固定部材が固定位置に位置決めされることになる。こうすることにより、嵌合部と凹凸とが付勢部によって自動的に付勢されるため、本体部材を基部材に自動的に固定することができる。この態様を採用した本発明のＬＥＤ電球において、前記回転固定部は、前記付勢部によって前記嵌合部の方向に付勢されることによって固定位置に固定され、前記操作部によって前記嵌合部の方向とは逆方向に押圧されることによって離間位置に位置決めされてもよい。こうすれば、固定位置に位置決めされている際には付勢部材によって固定され、操作部によって嵌合部と反対方向に押圧することにより、容易に回転固定部を離間位置に位置決めすることができる。言い換えると、付勢部を有していない場合と比較して、より容易に本体部材に備えられた発光部の向きを所望の方向に回転し、固定することができる。
【００１２】
本発明のＬＥＤ電球において、前記本体部材は、前記操作部が通過可能な通過孔を有し、前記操作部は、少なくとも一部が前記通過孔を通過する棒状部材であってもよい。こうすれば、通過穴を通過した操作部を操作することで回転固定部を操作することができるため、基部材に設けられた回転固定部を直接操作する場合と比較して、より容易に回転固定部を操作することができる。言い換えると、操作部を用いて回転固定部を操作することが容易となるため、棒状部材を有していない場合と比較して、より容易に本体部材に備えられた発光部の向きを所望の方向に回転し、固定することができる。
【００１３】
本発明のＬＥＤ電球には、基部材に供給された電力を前記本体部材に供給する電力供給手段と、を備え、前記基部材の一端側及び前記本体部材の一端側には、前記基部材の回転軸を含む位置に前記電力供給手段が通過可能な連通孔を有していてもよい。連通孔が本体部材の回転軸を含む位置に設けられていない場合には、本体部材を回転させると共に電力供給手段も回転し、絡まったり断線したりする可能性があるが、連通孔が本体部材の回転軸を含む位置に設けられている場合には、電力供給手段の位置が連通孔が回転するに伴って移動しないため、絡まったり断線したりする可能性を未然に低減することができる。
【００１４】
本発明のＬＥＤ電球において、前記本体部材は、前記基部材が回転するに伴って、同一方向から見た際の外観が少なくとも二以上の形態に見える発光部を有していてもよい。このようなＬＥＤ電球は、発光部の向きによって外観が異なるため、本発明を適用する効果が大きい。
【図面の簡単な説明】
【００１５】
【図１】図１は、ＬＥＤ電球２０の構成の概略を示す正面図である。
【図２】図２は、図１中のＡ−Ａ断面を示す断面図である。
【図３】図３は、ＬＥＤ電球２０の構成の概略の一部を示す部分拡大斜視図である。
【図４】図４は、ＬＥＤ電球２０の構成の概略の一部を示す部分拡大断面図である。
【図５】図５は、ＬＥＤ電球２０を製造する製造方法の一例を説明するための斜視図である。
【図６】図６は、ＬＥＤ電球２０を製造する製造方法の一例を説明するための斜視図である。
【図７】図７は、回転ロック棒７０の動きを説明するための説明図であり、図７（Ａ）は、回転固定部材６４が固定位置に固定された状態を示し、図７（Ｂ）は、回転ロック棒７０で回転固定部材６４を離脱位置に位置決めした状態を示す。
【発明を実施するための形態】
【００１６】
ここで、上記簡単に説明した図面に基づいて、本発明を実施するための形態を説明するにあたり、本実施の形態の構成要素と本発明の構成要素との対応関係を明らかにする。本実施の形態のＬＥＤ電球２０がＬＥＤ電球に相当し、基部材３０が基部材に相当し、本体部材４０が本体部材に相当し、口金３２が口金部に相当し、凹凸３８が嵌合部に相当し、ピストン穴６０が収納穴に相当し、回転固定部材６４が回転固定部に相当し、回転ロック棒７０が操作部に相当し、係合爪５７が突起部に相当し、バネ６２が付勢部に相当し、電気配線が電力供給手段に相当し、連通孔５９が連通孔に相当し、拡散部８６が拡散部に相当する。なお、ＬＥＤ電球２０の動作を説明することにより、本発明のＬＥＤ電球の使用方法の一例も明らかにしている。
【００１７】
次に、図１〜図４を用いて、本発明の実施の形態の一例であるＬＥＤ電球２０の構成を詳しく説明する。このＬＥＤ電球２０は、図１及び図３に示すように、図示しないＬＥＤ電球用取付部に螺合する口金３２を有する基部材３０と、基部材３０に回転可能な状態で連接される本体部材４０と、を備えており、基部材３０と本体部材４０の回転中心を含む位置には、連通孔５９が設けられており（図２参照）、連通孔５９を通過する図示しない電気配線によって基部材３０から本体部材４０に電力が供給される。
【００１８】
基部材３０は、図３に示すように、二つの半円筒部材３４が略円筒形状に組み合わさり（図５（Ｂ）参照）、この二つの半円筒部材３４の外側に螺旋形状の溝を有する口金３２が配置されてなる、略円筒形状の部材である。この半円筒部材３４には、それぞれ凸部３４ａ及び凹部３４ｂが設けられており、二つの半円筒部材３４が組み合わされる際には、凸部３４ａ及び凹部３４ｂが互いに係合する。また、口金３２は、図示しないＬＥＤ電球用取付部（例えば、ＪＩＳ規格で定められたＥ２６口が取り付け可能な取付部）に螺合し、ＬＥＤ電球２０に電力が供給可能な状態とする。更に、基部材３０の底面部（図４に示すように、本体部材４０と連接する際、挿入溝５６に挿入され、下部５４と当接する面）には、側面側から中心に向かって略円周状に延出部３６が延出しており、中央部には、後述する連接部５０が挿入される中央穴３５を有している。この延出部３６は、基部材３０の内側方向に向かって凹凸３８が設けられており、後述する係合爪５７及び突出部６６と係合し、回転可能な本体部材４０を所望の位置に位置決めする。更にまた、延出部３６の一部は中心側の側面に中心側方向に突出した規制部３７が設けられている。
【００１９】
本体部材４０は、図３に示すように、ハウジング４１の一端側に基部材３０と連接する連接部５０が設けられ、ハウジング４１の他端側には光を照射する発光部８０が設けられている（図２参照）。また、ハウジング４１は、発光部８０で発生した熱を放出する放熱部４２によって周囲が覆われており、連接部５０に連通する回転ロック棒７０が貫通している。また、連接部５０と放熱部４２との境界側部には、ガイド部４４が設けられており、本体部材４０と基部材３０との連接位置を覆っている。こうすることにより、本体部材４０と基部材３０との連接位置が外部に露出することを防止し、本体部材４０と基部材３０との間に砂や埃等が入り込んで、本体部材４０と基部材３０との回転の妨げになる可能性を未然に防止することができる。放熱部４２は、図１に示すように、側面に凹凸を有する金属性の部材であり、側面の凹凸により外気と接する表面積を増大させ、放熱部４２より外気に放出される熱量を増大させている。この放熱部４２は、図２に示すように、後述するＬＥＤ基板８２と当接しているため、使用によりＬＥＤ基板８２が発熱した場合には、ＬＥＤ基板８２から放熱部４２を介して熱を外気に放出することができる。こうすることにより、放熱部４２を有しない場合と比較して、より多くの熱を外気に放出することができる。言い換えると、熱によってＬＥＤ基板８２又はＬＥＤ８４に不具合が生じる可能性を未然に低減することができる。
【００２０】
連接部５０は、図４に示すように、上部５２と下部５４との直径の異なる略円柱形状の部材が連接されており、上部５２と下部５４との間には、挿入溝５６が設けられている。この連接部５０は、ビス５１（図５（Ａ）参照）によってハウジング４１に固定されている。また、挿入溝５６の上部５２側の面には下部５４方向に向かって突出する係合爪５７が設けられており、下部５４側の面には上部５２方向に向かって突出する規制爪５８が設けられている。このとき、挿入溝５６の幅は、凹凸３８の凸部の高さと係合爪５７の高さとの和よりも広いため、本体部材４０の回転に伴って係合爪５７が凹凸３８の表面に沿って上下に移動し、本体部材４０を回転させることができる。一方、係合爪５７が凹凸３８の凹部と係合する位置で本体部材４０の回転を止めることにより、本体部材４０を所望の位置に位置決め可能な状態とすることができる。また、本体部材４０の回転に伴って回転する規制爪５８は、基部材３０に設けられた規制部３７と互いに干渉し合うことによって回転が規制されるため、本体部材４０は３６０°以上回転することができない。こうすることにより、本体部材４０を３６０°以上回転させることにより、本体部材４０と基部材３０とを接続する電気配線の一端側が本体部材４０の回転に伴って回転し、電気配線が断線する可能性を未然に低減することができる。
【００２１】
また、上部５２には、図３に示すように、上部５２の下面側に開口を有するピストン穴６０が設けられており、このピストン穴６０の内部には、ピストン穴６０の内径と略同一の大きさに形成された回転固定部材６４が設けられている。この回転固定部材６４は、バネ６２によってピストン穴６０の壁面に沿って移動可能な状態で、ピストン穴６０の開口方向に向かって付勢されている。また、回転固定部材６４の凹凸３８と対向する面には、突出部６６が設けられており、凹凸３８と突出部６６とは互いに係合することができる。
【００２２】
回転ロック棒７０は、口金３２側から発光部８０側まで貫通して伸びる棒状の部材であり、発光部８０側の側面には係止凸部７２が本体部材４０の一部と離間可能に設けられている。また、発光部８０側の先端部は、本体部材４０の外部に一部が延出しており、外部から回転ロック棒７０を押圧可能な状態となっている。また、口金３２側の端部は、回転固定部材６４の表面と当接しており、回転固定部材６４の移動に伴って回転ロック棒７０も移動することができる。この回転固定部材６４は、バネ６２によって回転固定部材６４がピストン穴６０の底面方向から開口方向に付勢されているため、回転ロック棒７０もピストン穴６０の底面方向から開口方向に付勢されることになり、係止凸部７２が本体部材４０の一部に付勢された状態で、回転ロック棒７０が位置決めされることになる。
【００２３】
発光部８０は、図２に示すように、放熱部４２に当接する位置に設けられた複数のＬＥＤ基板８２と、ＬＥＤ基板８２上にそれぞれ設けられたＬＥＤ８４と、ＬＥＤ８４から照射された光を拡散する拡散部８６と、を備えている。ＬＥＤ８４は、白色光を発する発光ダイオードであり、ＬＥＤ基板８２及び図示しない導線等を介して、口金３２と電気的に接続されている。このため、口金３２が図示しないＬＥＤ電球用取付部に螺合されると、ＬＥＤ８４に電力が供給され、ＬＥＤ８４が発光する。ＬＥＤ８４が発光すると、拡散部８６の口金３２側から拡散部８６内に光が入射し、拡散ドット８８によって拡散される。また、ＬＥＤ８４は、ＬＥＤ基板８２の拡散部８６側に取り付けられているため、使用によりＬＥＤ８４が発熱した場合には、ＬＥＤ基板８２を介してＬＥＤ８４から放熱部４２に熱が伝導し、ＬＥＤ８４で発生した熱を放熱部４２に逃すことができる。こうすることにより、熱によってＬＥＤ８４に不具合が生じる可能性を未然に低減し、ＬＥＤ８４を長期間使用することができる。
【００２４】
拡散部８６は、図１に示すように、所望の形に形成された樹脂製の部材の表面に、複数の拡散ドット８８が設けられている。この拡散部８６の口金３２側には、複数のＬＥＤ８４が配置されており（図２参照）、ＬＥＤ８４から照射された光が拡散部８６に入射し、拡散ドット８８によって拡散される。こうすることにより、照射される光の直進性が高いＬＥＤ８４を用いた場合であっても、広範囲に光を照射することができる。また、拡散ドット８８は、内側方向に略四角錐形状に凹む凹部であり、四角錐の底面に相当する位置が拡散部８６の表面に位置するように設けられている。この拡散ドット８８は、縦方向及び横方向に規則的に設けられているため、不規則に設けられている場合と比較して、より整然と配置された印象や格子状に配置された印象を与えることができる。言い換えると、拡散ドット８８が不規則に備えられている場合と比較して、優れた美観を演出することができる。なお、図中の拡散ドット８８は、説明のため実際よりも大きく描いている。
【００２５】
ここで、こうして構成されたＬＥＤ電球２０の製造方法の一例、特に、上記それぞれの部材の組み立て方法について、図５及び図６を用いて詳しく説明する。ここで、図５及び図６はＬＥＤ電球２０の製造方法の一例を説明するための斜視図であり、図５（Ａ）は、ハウジング４１に連接部５０を接続する接続方法を、図５（Ｂ）は、連接部５０に半円筒部材３４を取り付ける取り付け方法を、それぞれ示している。また、図６（Ａ）は、半円筒部材３４を口金３２及びガイド部４４で固定する方法を、図６（Ｂ）は、半円筒部材３４を口金３２及びガイド部４４で固定した状態を、それぞれ示している。なお、図５及び図６では、説明のため発光部８０については、記載を省略している。
【００２６】
ＬＥＤ電球２０を組み立てる際には、図５（Ａ）に示すように、ハウジング４１の一端側にビス５１を用いて連接部５０を固定する。具体的には、連接部５０の下部５４とハウジング４１の上面とを二つのビス５１で固定する。このように、ビス５１を用いてハウジング４１に連接部５０を強固に固定することにより、ハウジング４１を含む本体部材４０を回転させる際に放熱部４２を持って回転させたとしても、本体部材４０と連接部５０とが外れる可能性を未然に低減することができる。
【００２７】
次に、図５（Ｂ）に示すように、連接部５０を連接部５０の両側面側から半円筒部材３４で挟み込む。このとき、連接部５０を半円筒部材３４で挟み込む際に対向する面には、それぞれ凸部３４ａ及び凹部３４ｂが設けられているため、半円筒部材３４で連接部５０を挟み込む際に、凸部３４ａと凹部３４ｂとを係合することにより、半円筒部材３４同士がずれてしまう可能性を未然に低減し、取り付ける際の労力を低減することができる。
【００２８】
続いて、図６（Ａ）に示すように、連接部５０を挟み込んでいる半円筒部材３４に外側からガイド部４４を嵌め込む。こうすることにより、半円筒部材３４同士が互いに遠ざかる方向に移動することができなくなるため、半円筒部材３４と連接部５０とが外れる可能性を未然に低減することができる。
【００２９】
最後に、連接部５０を挟み込んでいる半円筒部材３４の外面に沿って口金３２を回転させ、ガイド部４４に当接する位置に口金３２を螺合する。こうすることにより、半円筒部材３４同士が互いに遠ざかる方向に移動することを防ぐと共に、ガイド部４４を放熱部４２方向に押圧することで、半円筒部材３４が連接部５０を回転可能な状態で保持することができる。このように、本体部材４０の一部である連接部５０が基部材３０の一部である半円筒部材３４で挟み込まれることにより、基部材３０と本体部材４０とを連接し、基部材３０から本体部材４０が離脱する可能性を未然に低減することができる。
【００３０】
次に、こうして組み立てたＬＥＤ電球２０の操作、特に、本体部材４０を回転させる際の動作について、図７を用いて、更に詳しく説明する。ＬＥＤ電球２０を使用する際には、図示しない取付口に口金３２を螺合して使用するが、複数のＬＥＤ電球２０を取り付けた際には、それぞれのＬＥＤ電球２０の向きは通常異なっており、拡散部８６によって拡散される光の方向も不揃いになる。このため、拡散光によって延出される美観も統一感を欠くことになるため、拡散部８６の向きを所望の方向に統一し、一体感のある美観を演出したいという要望がある。しかしながら、口金３２を螺合する際には本体部材４０と基部材３０を含むＬＥＤ電球２０の全体が回転するため、ＬＥＤ電球２０を取り付ける際に、拡散部８６の方向を所望の方向にすることは困難である。そこで、ＬＥＤ電球２０を取り付けた後に、以下の手順で本体部材４０を回転させることにより、拡散部８６の方向を所望の方向に位置決めする。
【００３１】
本体部材４０を回転させる際には、まず、回転ロック棒７０の一端側を基部材３０の方向に押圧し、図７（Ａ）に示す固定位置から図７（Ｂ）に示す離間位置に回転ロック棒７０を位置決めする。具体的には、回転ロック棒７０の一端側が押下されると、回転ロック棒７０の口金３２側の端部が回転固定部材６４の表面をピストン穴６０の底面方向に押圧し、回転固定部材６４がピストン穴６０の側面に沿ってバネ６２を収縮させながらピストン穴６０の底面方向に移動する。こうすることにより、回転固定部材６４が離間位置に位置決めされ、突出部６６と凹凸３８との係合が解除されて本体部材４０が回転可能な状態となる。このとき、拡散部８６は本体部材４０に設けられているため、この状態で本体部材４０を回転させることで、口金３２が固定された基部材３０を回転させることなく、拡散部８６を所望の方向に回転させることができる。また、回転ロック棒７０によって回転固定部材６４を離間位置に位置決めした状態では、凹凸３８と突出部６６との係合は解除されるが、凹凸３８と係合爪５７とは互いに当接したままの状態で保たれる。このため、この状態で本体部材４０を回転させると、本体部材４０の回転に伴って係合爪５７が凹凸３８の表面を移動し、凹凸３８の凹部に係合爪５７がはまり込む際と凹凸３８の凸部を係合爪５７が通過する際とでは、回転時に必要な力が変化することになる。こうすることにより、一定間隔で設けられている凹凸３８により回転固定部材６４が所定距離進む毎に凹部に係合爪５７が引っかかるため、係合爪５７を有していない場合と比較して、より所望の位置に本体部材４０を回転させ、固定しやすい。更に、本体部材４０の回転に伴って規制爪５８が所定の角度だけ回転すると、基部材３０に設けられた規制部３７と互いに干渉し、本体部材４０の回転が規制される。このため、本体部材４０の回転角度は３６０°未満となる。こうすることにより、同一方向に３６０°以上本体部材４０を回転することにより、図示しない取付口に固定されている基部材３０と回転する本体部材４０との間を接続する図示しない電気配線が捻れて断線したり、電気配線との接続部が破損したりする可能性を未然に低減することができる。
【００３２】
本体部材４０を所望の方向に回転させた後には、回転ロック棒７０を解放する。回転ロック棒７０を解放状態とすると、バネ６２の付勢力によって図７（Ｂ）に示す離間位置から図７（Ａ）に示す固定位置に回転固定部材６４がピストン穴６０の側面に沿って移動する。このとき、回転固定部材６４の移動に伴って、回転ロック棒７０の側面に設けられた係止凸部７２が本体部材４０の表面に当接するまで、回転ロック棒７０が回転固定部材６４の表面に押圧されて移動する。この移動に伴って、係止凸部７２が設けられた側の先端が本体部材４０の外部に一部延出するため、回転ロック棒７０は再び押圧可能な状態となる。また、回転固定部材６４が固定位置に位置決めされると、回転固定部材６４に設けられた突出部６６と基部材３０に設けられた凹凸３８とが係合し、本体部材４０が基部材３０に固定される。
【００３３】
以上詳述した本実施の形態のＬＥＤ電球２０によれば、回転ロック棒７０を押下して回転固定部材６４を離間位置に位置決めすることで、本体部材４０が回転可能な状態となり、回転ロック棒７０の押圧状態を開放すると、バネ６２の付勢力によって回転固定部材６４がピストン穴６０の側面に沿って固定位置に移動し、凹凸３８の凹部と係合爪５７とが係合し、本体部材４０が基部材３０に固定される。こうすることにより、本体部材４０を回転し、基部材３０に対して自由な方向で固定することができる。言い換えると、本体部材４０に設けられた拡散部８６の方向を所望の方向に回転し、固定することができる。
【００３４】
また、本体部材４０には、凹凸３８と係合する係合爪５７を有しているため、本体部材４０を回転させる際、一定の間隔で設けられた凹部毎に突出部６６が係合し、本体部材４０が係合爪５７を有しない場合と比較して、所望の方向に本体部材４０を位置決めしやすい。
【００３５】
更に、回転固定部材６４は、凹凸３８に対向する位置に設けられたピストン穴６０の側面に沿って移動し、固定位置又は離間位置に位置決めされるため、回転固定部材６４に設けられた突出部６６は、凹凸３８に対して常に略垂直な方向に移動することになり、本体部材４０を回転させた際に、凹凸３８に対する突出部６６の角度が略直角以外の角度に変化し、凹凸３８と突出部６６とが嵌合できない可能性を未然に低減することができる。言い換えると、ピストン穴６０を有していない場合と比較して、凹凸３８と回転固定部材６４とが嵌合できず、本体部材４０を固定できない可能性を未然に低減することができる。
【００３６】
更にまた、回転固定部材６４は、バネ６２によって凹凸３８の方向に付勢されているため、本体部材４０を所望の方向に位置決めすると、突出部６６が凹凸３８の凹部と係合した状態で付勢され、本体部材４０が所望の方向を向いた状態で基部材３０に固定することができる。
【００３７】
そして、回転固定部材６４は、バネ６２によって凹凸３８の方向に付勢された状態で固定位置に固定され、回転ロック棒７０によって押圧されることで離間位置に位置決めされるため、回転ロック棒７０を押圧するという簡単な操作で回転固定部材６４を離間位置に位置決めし、回転ロック棒７０の押圧を解除するという簡単な操作で、本体部材４０を所望の方向に向けて基部材３０に固定することができる。
【００３８】
そして更に、回転ロック棒７０の係止凸部７２が設けられている側の先端が本体部材４０の外部に一部延出しているため、回転ロック棒７０を本体部材４０側で操作することができる。このため、例えば、回転ロック棒７０が短く、回転固定部材６４近傍で操作する必要がある場合と比較して、回転固定部材６４を固定位置又は離間位置に位置決めする際の操作性をより高めることができる。
【００３９】
そして更にまた、基部材３０及び本体部材４０の回転中心を含む位置に連通孔５９が設けられているため、この連通孔５９に図示しない電源ケーブルを通すことで、基部材３０から本体部材４０に電力を供給することができる。このとき、連通孔５９は基部材３０及び本体部材４０の回転中心を含む位置に位置しているため、本体部材４０の回転に伴って、電源ケーブルが絡まったり捻れたりする可能性を未然に低減し、電源ケーブルが断線する可能性をより低減することができる。
【００４０】
加えて、拡散部８６はデザイン化されており、見る方向によって外観が異なる形態を有しているため、本体部材４０を回転させて所望の方向に位置決めしたいという要望が大きい。
【００４１】
なお、本発明は上述した実施形態に何ら限定されることはなく、本発明の技術的範囲に属する限り種々の態様で実施し得ることはいうまでもない。
【００４２】
例えば、上述した実施の形態では、回転固定部材６４に突出部６６を設けるものとしたが、突出部はなくとも良い。この場合も、上述した実施の形態と同様の効果が得られる。
【００４３】
上述した実施の形態では、ピストン穴６０の壁面に沿って回転固定部材６４を備えるものとしたが、回転固定部材６４が基部材３０と係合した固定状態と基部材３０から開放された離脱状態とに位置決めすることができれば、ピストン穴６０は無くとも良い。この場合も、上述した実施の形態と同様の効果が得られる。
【００４４】
上述した実施の形態では、回転ロック棒７０の口金３２側の端部が回転固定部材６４の表面に当接するものとしたが、回転ロック棒７０の口金３２側の端部は、回転固定部材６４の表面に固定されていても良い。こうすれば、バネ６２の付勢力を必要とすることなく、回転固定部材６４を固定位置と離間位置とに位置決めすることができるため、バネ６２を備える必要が無い。言い換えると、製造時にバネ６２を取り付ける労力を低減することができる。
【００４５】
上述した実施の形態では、基部材３０と本体部材４０とを図示しない電気配線で接続するものとしたが、基部材３０と本体部材４０とを電気的に接続する手段は電気配線に限定されるものではなく、スリップリングシステム等の公知の回転体給電システムを用いてもよいし、電磁誘導や電磁界共鳴を利用した非接触電力伝送システムを用いてもよい。これらのシステムを採用した場合には、本体部材４０をどのように回転させても、基部材３０と本体部材４０とを接続する電気配線が損傷する可能性が無いため、規制部３７及び規制爪５８を設ける必要が無い。
【産業上の利用可能性】
【００４６】
上述した実施の形態で示すように、照明分野、特にＬＥＤ電球として利用することができる。
【符号の説明】
【００４７】
２０…ＬＥＤ電球、３０…基部材、３２…口金、３４…半円筒部材３４ａ…凸部、３４ｂ…凹部、３５…中央孔、３６…延出部、３７…規制部、３８…凹凸、４０…本体部材、４１…ハウジング、４２…放熱部、４４…ガイド部、５０…連接部、５１…ビス、５２…上部、５４…下部、５６…挿入溝、５７…係合爪、５８…規制爪、５９…連通孔、６０…ピストン穴、６２…バネ、６４…回転固定部材、６６…突出部、７０…回転ロック棒、７２…係止凸部、７８…拡散ドット、８０…発光部、８２…ＬＥＤ基板、８４…ＬＥＤ、８６…拡散部。
【図１】
0005676410.tif 000002
【図２】
0005676410.tif 000003
【図３】
0005676410.tif 000004
【図４】
0005676410.tif 000005
【図５】
0005676410.tif 000006
【図６】
0005676410.tif 000007
【図７】
0005676410.tif 000008